(57)【要約】【課題】巻取り軸に対して不意な力が作用しても、巻取り軸を巻取りボックスから離脱させることにより、巻取りボックスを固定したサッシ枠や躯体等が損傷するのを防止することができる自動巻取り式のスクリーン装置を提供する。【解決手段】建物の開口枠１０に固定される巻取りボックス２内に支持された巻取り軸３に、該巻取り軸３に内蔵されたコイルスプリング３３による巻取り機構３０によって、スクリーン４を自動的に巻き取ることができるようにしたスクリーン装置１において、上記巻取り軸３の支持軸３２を支持するブラケット２１の軸受穴２４ａに、該軸受穴２４ａから上記支持軸３２を離脱させるための切欠口２４ｂを開設した。【選択図】        図５
2004190225.tif 000002
【特許請求の範囲】
【請求項１】
建物の開口枠に固定するための巻取りボックスと、コイルスプリングによる巻取り機構を内蔵して上記巻取りボックス内に支持された巻取り軸と、一端が該巻取り軸に保持されたスクリーンとを備えており、該スクリーンの導出時に上記コイルスプリングに蓄積される戻りの回転付勢力により、上記巻取り軸に上記スクリーンを自動的に巻取り可能としたスクリーン装置において、
上記巻取り軸の両端からは支持軸が突設され、
上記巻取りボックスは、上記支持軸を抜脱可能に支持するための軸受穴が形成された一対のブラケットと、上記スクリーンの導出方向に開口する開口部とを備えており、
少なくとも一方のブラケットにおける上記軸受穴の側壁には、該軸受穴から上記支持軸を離脱させるための切欠口が、上記巻取りボックスの開口部側に向けて開設されていることを特徴とする自動巻取り式スクリーン装置。
【請求項２】
上記巻取り軸に対して上記巻取りボックスの開口部方向に所定以上の力が作用すると、上記切欠口が変形によって拡開し、該切欠口を通じて上記支持軸を軸受穴から離脱させることを特徴とする請求項１に記載の自動巻取り式スクリーン装置。
【発明の詳細な説明】
【０００１】
【発明の属する技術分野】
本発明は、防塵、遮光、断熱、防虫等のための自動巻取り式スクリーン装置に関するものであり、更に具体的には、スクリーンの閉操作時等に巻取り軸に対して不意な力が作用しても、巻取り軸を巻取りボックスから離脱させることにより、巻取りボックスを固定した建物の開口枠としてのサッシ枠や躯体等が損傷するのを防止することができる自動巻取り式のスクリーン装置に関するものである。
【０００２】
【従来の技術】
従来、コイルスプリングを駆動源として内蔵する巻取り軸にスクリーンの一端を保持させると共に、該スクリーンの他端に開閉操作用の操作框を取り付け、該スクリーンを自動的に上記巻取り軸に巻き取らせて開操作できるようにしたスクリーン装置は、広く知られている。
ところで、この種の自動巻取り式のスクリーン装置は、建物の開口枠に固定する巻取りボックス内に上記巻取り軸が支持されてなり、スクリーンの導出時（閉操作時）に上記コイルスプリングに蓄積される捩りの回転付勢力によって、上記スクリーンを上記巻取り軸に巻取るようになっているが、上記スクリーンの導出に際して、スクリーンの強引な閉操作等により、該巻取り軸に対してスクリーンの導出方向に不意な力が加えられると、同時に上記巻取りボックスを固定した開口枠としてのサッシ枠や躯体等にも無理な力が作用して、そららが損傷してしまう虞があるという問題があった。
なお、この出願の発明に関連する先行技術文献情報としては、次のようなものがある。
【０００３】
【特許文献１】
特開平０８−１９９９４６号公報
【特許文献２】
特開２００１−３１７２７７号公報
【特許文献３】
特開２００２−２２７５６２号公報
【０００４】
【発明が解決しようとする課題】
本発明の技術的課題は、建物の開口枠に固定される巻取りボックス内に支持された巻取り軸に、該巻取り軸に内蔵されたコイルスプリングによる巻取り機構によって、スクリーンを自動的に巻き取ることができるようにしたスクリーン装置において、スクリーンの強引な閉操作等により、上記巻取り軸に対して不意な力が作用しても、巻取り軸を巻取りボックスから離脱させることにより、巻取りボックスを固定した建物の開口枠としてのサッシ枠や躯体等が損傷するのを防止することができる自動巻取り式のスクリーン装置を提供することにある。
【０００５】
【課題を解決するための手段】
上記課題を解決するため、本発明は、建物の開口枠に固定するための巻取りボックスと、コイルスプリングによる巻取り機構を内蔵して上記巻取りボックス内に支持された巻取り軸と、一端が該巻取り軸に保持されたスクリーンとを備えており、該スクリーンの導出時に上記コイルスプリングに蓄積される戻りの回転付勢力により、上記巻取り軸に上記スクリーンを自動的に巻取り可能としたスクリーン装置において、上記巻取り軸の両端からは支持軸が突設され、上記巻取りボックスは、上記支持軸を抜脱可能に支持するための軸受穴が形成された一対のブラケットと、上記スクリーンの導出方向に開口する開口部とを備えており、少なくとも一方のブラケットにおける上記軸受穴の側壁には、該軸受穴から上記支持軸を離脱させるための切欠口が、上記巻取りボックスの開口部側に向けて開設されていることを特徴とするものである。
【０００６】
上記本発明の自動巻取り式スクリーン装置の好ましい実施形態においては、上記巻取り軸に対して上記巻取りボックスの開口部方向に所定以上の力が作用すると、上記切欠口が変形によって拡開し、該切欠口を通じて上記支持軸を軸受穴から離脱させることができるようになっている。
【０００７】
上記構成を有する自動巻取り式スクリーン装置においては、巻取り軸の両端から支持軸が突設され、巻取りボックスが、上記支持軸を抜脱可能に支持するための軸受穴が形成された一対のブラケットと、スクリーンの導出方向に開口する開口部とを備えており、少なくとも一方のブラケットにおける上記軸受穴の側壁には、該軸受穴から上記支持軸を離脱させるための切欠口が、上記巻取りボックスの開口部側に向けて開設されているため、スクリーンの強引な閉操作等により、巻取り軸に対して不意な力が作用しても、少なくとも一方の支持軸を上記切欠口を通じて軸受穴から離脱させることによって、巻取り軸を上記開口部を通じて巻取りボックスから離脱させることができるから、巻取りボックスを固定した建物の開口枠としてのサッシ枠や躯体等が損傷するのを防止することができる。
【０００８】
【発明の実施の形態】
以下に、図面を参照して本発明に係る自動巻取り式のスクリーン装置の実施例について詳述する。
図１及び図２は、本発明に係る自動巻取り式のスクリーン装置の全体的な構成を示すもので、この実施例は、巻取り軸３に捲回したスクリーン４を縦引き式に開閉できるようにした自動巻取り式のスクリーン装置１を、サッシ枠１０の上枠１４に取り付けて、遮光用又は目隠し用として用いる場合について示しているが、本発明のスクリーン装置は、上記縦引き式に限られるものではなく、左右方向に開閉する横引き式のスクリーンを自動巻き取りするものであっても良いし、また、その用途についても遮光、目隠しに限られることなく、断熱や防虫等を目的とするものであっても良い。
【０００９】
上記図１及び図２に示しているスクリーン装置１は、建物の開口枠、例えば窓１１，１２や防虫網戸１３が装着されたサッシ枠１０の上枠１４に固定するための巻取りボックス２と、両端が上記巻取りボックス２に支持された巻取り軸３と、一端が該巻取り軸３に保持され、他端に操作框（ボトムバー）５が取り付けられたスクリーン４とから構成されている。そして、上記巻取り軸３にはコイルスプリング３３による巻取り機構３０が内蔵されていて、上記スクリーン４の導出時すなわち閉操作時に上記コイルスプリング３３に戻りの回転付勢力が蓄積されるようになっており、その回転付勢力が蓄積されたコイルスプリング３３を駆動源として、上記スクリーン４を該巻取り軸３に自動的に巻き取ることができるようになっている。また、上記サッシ枠１０の下枠１５には、上記スクリーン４の他端に取り付けられた操作框５を係合させるための係合部材６が固定されており、スクリーン４の張設時に上記操作框５を係合部材６に係止させて、該スクリーン４を張設状態に保持することができるようになっている。
【００１０】
上記巻取りボックス２は、図中下方すなわちスクリーン４の導出側に開口部２ｂを備えており、両端に設けられた第１ブラケット２１及び第２ブラケット２２によって上記巻取り軸３の両端を支持している。すなわち、これら第１ブラケット２１及び第２ブラケット２２の内面側には、第１軸受穴２４ａ及び第２軸受穴２２ａがそれぞれ開口され、一方、上記巻取り軸３の両端からは第１支持軸３２及び第２支持軸３１ａがそれぞれ突設されており、これら第１支持軸３２及び第２支持軸３１ａが、上記第１軸受穴２４ａ及び第２軸受穴２２ａにそれぞれ抜脱可能に挿入支持されている。
【００１１】
上記第１ブラケット２１の第１軸受穴２４ａの側壁には、切欠口２４ｂが上記巻取りボックス２の開口部２ｂ側に向けて開設されおり、上記巻取り軸３に対して所定以上の力が上記開口部２ｂ方向に作用すると、上記切欠口２４ｂが変形によって拡開して、該切欠口２４ｂを通じて上記第１軸受穴２４ａから上記第１支持軸３２が離脱するようになっている。一方、上記第２ブラケット２２の第２軸受穴２２ａには切欠口は開設されておらず、上記第１軸受穴２４ａから第１支持軸３２が離脱した際に、上記第２軸受穴２２ａから第２支持軸３１ａが抜脱するようになっている。
【００１２】
更に詳細に説明すると、上記巻取りボックス２は、上記サッシ枠１０の上枠１４に設けられた庇部１４ａの下面に固定するための天板２９、及び、該天板２９における庇部１４ａ先端側の端部から垂下された前板２８からなる断面Ｌ字状のボックス本体２ａと、上記各軸受穴２４ａ，２２ａを互いに対向させて上記ボックス本体２ａの両端を閉塞する合成樹脂製の第１ブラケット２１及び第２ブラケット２２とから構成されており、該巻取りボックス２における上記天板２９と対向する下面には、上記スクリーン４の導出及び巻き取りを可能とすると共に、該巻取りボックス２からの上記巻取り軸３の離脱を可能とする開口部２ｂが形成されている。
【００１３】
上記第１ブラケット２１は、図３に示すように、蓋板２１ａと、該蓋板２１ａの内面側に同心円状に立設された外筒２７、中筒２６及び内筒２４とが合成樹脂によって一体成形されてなっており、上記内筒２４の内壁が断面円形の第１軸受穴２４ａを形成している。そして、該内筒２４すなわち上記第１軸受穴２４ａの側壁には、上記巻取りボックス２の開口部２ｂ側に、該第１軸受穴２４ａに沿って上記切欠口２４ｂが開設され、更に、該切欠口２４ｂにおける内筒２４の両縁からはそれぞれ、該内筒２４の径方向に向けてリップ２４ｃが扇状に突設されている。上記中筒２６及び外筒２７にも同様にして切欠口２６ａ，２７ａがそれぞれ開設されており、内筒２４から外筒２７に向かってこれら切欠口２４ｂ，２６ａ，２７ａの開口幅が扇状に順次拡がっている。また、内筒２４と中筒２６との間には補強リブ２５が一体に架設されている。一方、上記第２ブラケット２２も合成樹脂によって一体成形されており、断面略四角形の第２軸受穴２２ａが形成されている。なお、上記各軸受穴２４ａ，２２ａは、上記各ブラケット２１，２２を貫通するものであっても良い。
【００１４】
上記巻取り軸３は、一端に断面円形の第１支持軸３２が固定された中空円筒状の軸本体３７内に、上記スクリーン４を自動的に巻き取るための上記コイルスプリング３３による巻取り機構３０が内蔵されて構成されている。そして、該巻取り機構３０は、上記軸本体３７内に挿通され、一端が上記軸本体３７の他端から突出して上記第２支持軸３１ａを形成する固定軸３１と、該固定軸３１に固定されて、上記コイルスプリング３３の一端が巻着固定された第１スプリング受け３４と、上記固定軸３１に対して回転自在に装着されていると共に上記軸本体３７に対して固定されて、上記コイルスプリング３３の他端が巻着固定された第２スプリング受け３５とを備えている。なお、上記第２支持軸３１ａは断面略四角形に形成されている。
【００１５】
そして、上記第１支持軸３２及び第２支持軸３１ａをそれぞれ上記第１軸受穴２４ａ及び第２軸受穴２２ａに対して抜脱可能に挿入することにより、上記第１支持軸３２は第１ブラケット２１によって回動自在に支持され、上記第２支持軸３１ａは第２ブラケット２２によって回転方向に拘束されて支持されている。
すなわち、上記第１支持軸３２によって上記第１ブラケット２１に回動自在に支持された軸本体３７は、上記第２支持軸３１ａによって上記第２ブラケット２２に回動方向に拘束されて支持された固定軸３１に、コイルスプリング３３を介して連結されている。
【００１６】
ここで、上記第１軸受穴２４ａの切欠口２４ｂは、上記第１支持軸３２の直径よりも狭い開口幅を有していることは言うまでもない。また、第２支持軸３１ａ及び第２軸受穴２２ａの断面形状は、略四角形に限られるものではなく、第２支持軸３１ａを回転方向に拘束することができるものであれば如何なる形状であっても良い。
【００１７】
そして、上記軸本体３７は上記固定軸３１にオイルダンパー３６を介して接続されており、スクリーン４を導出時に蓄積されたコイルスプリング３３の回転付勢力によって、上記スクリーン４を巻取り軸３に自動的に巻き取らせる際に、上記オイルダンパー３６の作用によりスクリーン４の巻き取り速度の増大を抑制して、緩衝的に巻き取らせることができるようになっている。
なお、上記軸本体３７の外周には、該軸本体３７の長さ方向に沿って、上記スクリーン４の一端を固定保持するための凹溝３７ａが形成されている。
【００１８】
上記可動框５は、上記スクリーン４の他端を固定保持するための固定溝５ａと、上記係合部材６の先端を屈曲させて形成されたフック６ａと係合させるため、上記固定溝５ａに隣接して設けられた係合溝５ｂと、上記スクリーン４を導出するための取っ手５ｃとを備えており、該取っ手５ｃによって巻取りボックス２から導出されたスクリーン４を、上記係合部材６のフック６ａに上記可動框５の係合溝５ｂを係合させることによって、張設状態に保持できるようになっている。
【００１９】
次に、上述のような構成を備えた自動巻取り式スクリーン装置１の動作及び効果を図４及び図５を用いて説明する。
まず、スクリーン４の通常の開閉操作においては、図４（ａ）、図５（ａ）に示すように、上記巻取り軸３の両端から突設された第１支持軸３２及び第２支持軸３１ａがそれぞれ、巻取りボックス２における第１ブラケット２１の第１軸受穴２４ａ及び第２ブラケット２２の第２軸受穴２２ａに支持された状態で、上記スクリーン４が巻取り軸３から繰り出され、又は該巻取り軸３によって自動的に巻き取られる。
【００２０】
一方、スクリーン４の強引な閉操作等により、上記巻取り軸３に対してスクリーン４の導出方向、すなわち上記巻取りボックス２の開口部２ｂ方向に所定以上の力が作用すると、図４（ｂ），図５（ｂ）に示すように、上記第１支持軸３２を支持する第１軸受穴２４ａの切欠口２４ｂが変形によって拡開されて、該第１支持軸３２が第１軸受穴２４ａから離脱すると同時に、上記第２支持軸３１ａが第２軸受穴２２ａから抜脱することにより、上記巻取り軸３が開口部２ｂを通じて巻取りボックス２から離脱するようになっている。したがって、巻取りボックス２を固定した建物の開口枠としてのサッシ枠１０や躯体等に無理な力が作用して、それらが損傷するのを防止することができる。
【００２１】
なお、上記実施例においては、第１ブラケット２１の第１軸受穴２４ａのみに切欠口２４ｂが開設されているが、第２ブラケット２２の第２軸受穴２２ａのみに、又は、第１軸受穴２４ａ及び第２軸受穴２２ａの双方に上記切欠口を開設しても良い。
【００２２】
【発明の効果】
以上に詳述したように、本発明に係る自動巻取り式スクリーン装置によれば、スクリーンの強引な閉操作等により、巻取り軸に対して不意な力が作用しても、少なくとも一方の支持軸を切欠口を通じて軸受穴から離脱させることによって、巻取り軸を上記開口部を通じて巻取りボックスから離脱させることができるから、巻取りボックスを固定した建物の開口枠としてのサッシ枠や躯体等に無理な力が作用して、それらが損傷するのを防止することができる。
【図面の簡単な説明】
【図１】本発明に係る自動巻取り式スクリーン装置の一実施例を示す部分破断正断面図である。
【図２】同側断面図である
【図３】（ａ）は上記実施例における第１ブラケットの正面図、（ｂ）は同斜視図である。
【図４】上記実施例における自動巻取り式スクリーン装置の動作を示す正面図である。
【図５】同部分破断斜視図である。
【符号の説明】
１    自動巻取り式スクリーン装置
２    巻取りボックス
２ｂ  開口部
３    巻取り軸
４    スクリーン
５    操作框
１０    サッシ枠（開口枠）
２１    第１ブラケット
２２    第２ブラケット
２２ａ  第２軸受穴
２４ａ  第１軸受穴
２４ｂ  切欠口
３１    固定軸
３１ａ  第２支持軸
３２    第１支持軸
３３    コイルスプリング
【図１】
2004190225.tif 000003
【図２】
2004190225.tif 000004
【図３】
2004190225.tif 000005
【図４】
2004190225.tif 000006
【図５】
2004190225.tif 000007